(57)【特許請求の範囲】
【請求項１】
フラット回路体の端部である回路体端部をコネクタのコネクタ本体内に挿入することによって、前記フラット回路体と前記コネクタとを電気的に接続するフラット回路体とコネクタとの接続構造において、
前記コネクタは、
前記回路体端部を前記コネクタ本体内に係止する回路体係止部と、
前記回路体端部を前記コネクタ本体に挿入するようにガイドするガイド部材が前記フラット回路体に取り付けられる場合、前記ガイド部材を係止することによって前記回路体端部を前記コネクタ本体内に係止する部材係止部と
を有し、
前記フラット回路体は、
前記回路体係止部が係止する回路体被係止部
を有し、
前記ガイド部材は、
前記部材係止部が係止する部材被係止部
を有し、
前記フラット回路体に前記ガイド部材が取り付けられる場合、前記部材係止部が前記部材被係止部を係止し、前記フラット回路体に前記ガイド部材が取り付けられない場合、前記回路体係止部が前記回路体被係止部を係止することによって、前記回路体端部を前記コネクタ本体内に係止する
ことを特徴とするフラット回路体とコネクタとの接続構造。
【請求項２】
前記回路体被係止部は、
前記回路体端部に形成された孔部であり、
前記回路体係止部は、
前記回路体被係止部の孔内に嵌め込まれる凸部であり、
前記コネクタは、
前記回路体係止部が設けられ、かつ該回路体係止部を前記回路体被係止部に係脱できるように前記コネクタ本体に組み付けられる係止部材
を有する
ことを特徴とする請求項１に記載のフラット回路体とコネクタとの接続構造。
【請求項３】
前記係止部材は、
前記回路体係止部を上方から前記回路体被係止部の孔内に嵌め込ませるため、弾性力を利用して自動で下方に移動する
ことを特徴とする請求項２に記載のフラット回路体とコネクタとの接続構造。
【請求項４】
前記フラット回路体に前記ガイド部材が取り付けられる場合、前記部材係止部が前記部材被係止部を係止するとともに、前記回路体係止部が前記回路体被係止部を係止することを特徴とする請求項１、２または３に記載のフラット回路体とコネクタとの接続構造。
【発明の詳細な説明】
【技術分野】
【０００１】
本発明は、フラット回路体とコネクタとを電気的に接続するフラット回路体とコネクタとの接続構造に関する。
【背景技術】
【０００２】
従来、フレキシブルプリント配線板（ＦＰＣ：Ｆｌｅｘｉｂｌｅ  Ｐｒｉｎｔｅｄ  Ｃｉｒｃｕｉｔ）あるいはフレキシブルフラットケーブル等のフラット回路体とコネクタとの接続構造としては、フラット回路体の端部をコネクタのコネクタ本体内に挿入することによってフラット回路体とコネクタとが電気的に接続されるようになっている。
例えば、特許文献１には、フラット回路体にコネクタ本体への挿入をガイドするガイド部材（ブロック）が取り付けられ、このガイド部材とコネクタ本体とが係止されることによってフラット回路体の端部がコネクタ本体内に固定されるフラット回路体とコネクタとの接続構造が記載されている。
【先行技術文献】
【特許文献】
【０００３】
【特許文献１】特開２０１２−８４５０１号公報
【発明の概要】
【発明が解決しようとする課題】
【０００４】
しかしながら、特許文献１に記載されたフラット回路体とコネクタとの接続構造は、ガイド部材を取り付ける必要があるため、コストが増加する問題がある。
この問題を解消するため、フラット回路体にガイド部材を取り付けずにフラット回路体をコネクタに接続することも考えられるが、ガイド部材はフラット回路体の誤嵌合を防止するための機能を有しているため、取付けミスが発生するおそれがある。
そこで、フラット回路体にガイド部材を取り付けた状態でフラット回路体とコネクタとを接続すること、取り付けない状態でフラット回路体とコネクタとを接続することの両方を要求に応じて使い分けることが望ましいが、構造の異なるコネクタを用いる必要がある。
【０００５】
本発明は、上記に鑑みてなされたものであって、コネクタ本体への挿入をガイドするガイド部材を取り付けたフラット回路体と、ガイド部材を取り付けないフラット回路体との両方を同一のコネクタに接続することができるフラット回路体とコネクタとの接続構造を提供することを目的とする。
【課題を解決するための手段】
【０００６】
上述した課題を解決し、目的を達成するために、本発明の請求項１に係るフラット回路体とコネクタとの接続構造は、フラット回路体の端部である回路体端部をコネクタのコネクタ本体内に挿入することによって、前記フラット回路体と前記コネクタとを電気的に接続するフラット回路体とコネクタとの接続構造において、前記コネクタは、前記回路体端部を前記コネクタ本体内に係止する回路体係止部と、前記回路体端部を前記コネクタ本体に挿入するようにガイドするガイド部材が前記フラット回路体に取り付けられる場合、前記ガイド部材を係止することによって前記回路体端部を前記コネクタ本体内に係止する部材係止部とを有し、前記フラット回路体は、前記回路体係止部が係止する回路体被係止部を有し、前記ガイド部材は、前記部材係止部が係止する部材被係止部を有し、前記フラット回路体に前記ガイド部材が取り付けられる場合、前記部材係止部が前記部材被係止部を係止し、前記フラット回路体に前記ガイド部材が取り付けられない場合、前記回路体係止部が前記回路体被係止部を係止することによって、前記回路体端部を前記コネクタ本体内に係止することを特徴とする。
【０００７】
また、本発明の請求項２に係るフラット回路体とコネクタとの接続構造は、上記の発明において、前記回路体被係止部は、前記回路体端部に形成された孔部であり、前記回路体係止部は、前記回路体被係止部の孔内に嵌め込まれる凸部であり、前記コネクタは、前記回路体係止部が設けられ、かつ該回路体係止部を前記回路体被係止部に係脱できるように前記コネクタ本体に組み付けられる固定部材を有することを特徴とする。
【０００８】
また、本発明の請求項３に係るフラット回路体とコネクタとの接続構造は、上記の発明において、前記固定部材は、前記回路体係止部を上方から前記回路体被係止部の孔内に嵌め込ませるため、弾性力を利用して自動で下方に移動することを特徴とする。
【０００９】
また、本発明の請求項４に係るフラット回路体とコネクタとの接続構造は、上記の発明において、前記フラット回路体に前記ガイド部材が取り付けられる場合、前記部材係止部が前記部材被係止部を係止するとともに、前記回路体係止部が前記回路体被係止部を係止することを特徴とする。
【発明の効果】
【００１０】
本発明の請求項１に係るフラット回路体とコネクタとの接続構造は、前記フラット回路体に前記ガイド部材が取り付けられる場合、前記部材係止部が前記部材被係止部を係止し、前記フラット回路体に前記ガイド部材が取り付けられない場合、前記回路体係止部が前記回路体被係止部を係止することによって、前記回路体端部を前記コネクタ本体内に係止するので、コネクタ本体への挿入をガイドするガイド部材を取り付けたフラット回路体と、ガイド部材を取り付けないフラット回路体との両方を同一のコネクタに接続することができる。
【００１１】
本発明の請求項２に係るフラット回路体とコネクタとの接続構造は、前記コネクタ本体に組み付けられる前記係止部材に設けられた凸部である前記回路体係止部によって前記フラット回路体に形成された孔部である前記回路体被係止部を係止するようにしているので、簡易な構成で、前記回路体端部を前記コネクタ本体内に係止することができる。
【００１２】
本発明の請求項３に係るフラット回路体とコネクタとの接続構造は、前記係止部材は、前記回路体係止部によって前記回路体被係止部を係止するため、弾性力を利用して自動で下方に移動することができるので、回路体係止部によって前記回路体被係止部を係止する作業が容易になる。
【００１３】
本発明の請求項４に係るフラット回路体とコネクタとの接続構造は、前記フラット回路体に前記ガイド部材が取り付けられる場合、前記部材係止部が前記部材被係止部を係止するとともに、前記回路体係止部が前記回路体被係止部を係止することによって二箇所で係止するので、前記回路体端部を前記コネクタ本体内により確実に係止することができる。
【図面の簡単な説明】
【００１４】
【図１】図１は、本発明の実施例に係るフラット回路体とコネクタとの接続構造の分解斜視図である。
【図２】図２は、（ａ）が、ガイド部材を取り付けたフラット回路体がコネクタに接続される前のフラット回路体とコネクタとの接続構造の斜視図であり、（ｂ）が、ガイド部材を取り付けたフラット回路体がコネクタに接続されたフラット回路体とコネクタとの接続構造の斜視図である。
【図３】図３は、（ａ）が、ガイド部材を取り付けないフラット回路体がコネクタに接続される前のフラット回路体とコネクタとの接続構造の斜視図であり、（ｂ）が、ガイド部材を取り付けないフラット回路体がコネクタに接続されたフラット回路体とコネクタとの接続構造の斜視図である。
【図４】図４は、コネクタの拡大斜視図である。
【図５】図５は、図１に示すガイド本体部を裏面から視た斜視図である。
【図６】図６は、図１に示す係止部材の拡大斜視図である。
【図７】図７は、ガイド部材を取り付けたフラット回路体の回路体端部がコネクタ本体内に挿入開始されてから係止されるまでのフラット回路体およびコネクタの動作を示す図である。
【図８】図８は、フラット回路体をコネクタから外すため、係止部材を持ち上げたときのフラット回路体およびコネクタの動作を示す図である。
【図９】図９は、ガイド部材を取り付けないフラット回路体の回路体端部がコネクタ本体内に挿入開始されてから係止されるまでのフラット回路体およびコネクタの動作を示す図である。
【図１０】図１０は、フラット回路体をコネクタから外すため、係止部材を持ち上げたときのフラット回路体およびコネクタの動作を示す図である。
【発明を実施するための形態】
【００１５】
以下、図面を参照して、本発明に係るフラット回路体とコネクタとの接続構造の好適な実施例を詳細に説明する。
図１は、本発明の実施例に係るフラット回路体とコネクタとの接続構造１の分解斜視図である。図２は、（ａ）が、ガイド部材５０を取り付けたフラット回路体１０がコネクタ２０に接続される前のフラット回路体とコネクタとの接続構造１の斜視図であり、（ｂ）が、ガイド部材５０を取り付けたフラット回路体１０がコネクタ２０に接続されたフラット回路体とコネクタとの接続構造１の斜視図である。図３は、（ａ）が、ガイド部材５０を取り付けないフラット回路体１０がコネクタ２０に接続される前のフラット回路体とコネクタとの接続構造１の斜視図であり、（ｂ）が、ガイド部材５０を取り付けないフラット回路体１０がコネクタ２０に接続されたフラット回路体とコネクタとの接続構造１の斜視図である。図４は、コネクタ２０の拡大斜視図である。図５は、図１に示すガイド本体部６０を裏面から視た斜視図である。図６は、図１に示す係止部材４０の拡大斜視図である。
なお、本発明の実施例では説明の便宜上、図中に示すように前後、左右及び上下方向を定義する。
【００１６】
本発明の実施例に係るフラット回路体とコネクタとの接続構造１は、フレキシブルプリント配線板あるいはフレキシブルフラットケーブル等のフラット回路体１０の端部である回路体端部１０ａをコネクタ２０のコネクタ本体３０内に挿入することによって、フラット回路体１０とコネクタ２０とを電気的に接続するものである。
このフラット回路体とコネクタとの接続構造１は、フラット回路体１０と、コネクタ２０と、回路体端部１０ａがコネクタ本体３０に挿入するようにガイドするガイド部材５０と、を有する。
なお、フラット回路体とコネクタとの接続構造１は、ガイド部材５０を取り付けたフラット回路体１０と、コネクタ２０とが電気的に接続される接続構造と、ガイド部材５０を取り付けないフラット回路体１０と、コネクタ２０とが電気的に接続される接続構造と、の二つの接続構造が可能である。
【００１７】
まず、フラット回路体１０について説明する。
フラット回路体１０は、この実施例では、フレキシブルプリント配線板を用いる。このフラット回路体１０は、導電性の金属膜がパターン形成された不図示の回路配線を有し、この回路配線の両面が絶縁性薄膜フィルム１１によって覆われた平板状可撓性の回路基板である。
また、フラット回路体１０の回路体端部１０ａには不図示の複数の端子が並んで形成されている。複数の端子は、絶縁性薄膜フィルム１１の一部が除去され各端子の接続面が露出されることによって、コネクタ２０の各端子２１に接続される。
また、回路体端部１０ａは、複数の端子が露出される側の面の裏面に補強板１２が貼り付けられることによって補強されている。
【００１８】
このようなフラット回路体１０は、後述する回路体係止部４３が係止する回路体被係止部１３、１３を有する。
回路体被係止部１３は、回路体端部１０ａに形成された孔部であり、二箇所に設けられた回路体係止部４３に対応して回路体端部１０ａの二箇所に形成されている。
【００１９】
次に、コネクタ２０について説明する。
コネクタ２０は、本体部分を構成するコネクタ本体３０と、コネクタ本体３０に組み付けられる係止部材４０と、を有する。
【００２０】
コネクタ本体３０は、合成樹脂等の絶縁材からなり、底面を形成する外形長方形状の底壁３１と、底壁３１の左右の両端部に立設された側壁３２、３２と、底壁３１の後端部に立設された後壁３３と、上面を形成する天井壁３４と、を有する。
このコネクタ本体３０は、これらの壁によって外郭が形成されるとともに、回路体挿入口３０ａから挿入された回路体端部１０ａが収容される回路体端部収容空間３５が形成されている。
回路体端部収容空間３５内には、複数の端子２１が配置され、フラット回路体１０の端子に接続されるようになっている。
【００２１】
また、コネクタ本体３０は、係止部材４０が組み付けられる係止部材組付部３６と、ガイド部材５０を係止することによって回路体端部１０ａをコネクタ本体３０内に係止する部材係止部３８と、を有する。
係止部材組付部３６は、係止部材４０の移動をガイドするように後述する一対の被ガイド部４２、４２に対応して左右の両側壁３２、３２に設けられた一対のガイド部３７、３７を有する。
各ガイド部３７は、係止部材４０が係止部材組付部３６に組み付けられることによって、回路体端部１０ａがコネクタ本体３０内に挿入開始されてからコネクタ本体３０内に係止されまでの係止部材４０の移動をガイドするガイド面３７ａ（図１参照）を有する。
【００２２】
部材係止部３８は、コネクタ本体３０の上面から突起した突起部分であり、ガイド部材５０の後述する部材被係止部６１を係止する部分である。
【００２３】
このようなコネクタ本体３０は、固定金具８０、８０によって取付先となる不図示の基板等に固定される。
【００２４】
係止部材４０は、合成樹脂等の絶縁材からなり、回路体係止部４３、４３を回路体被係止部１３、１３に係脱できるようにコネクタ本体３０に組み付けられる。
この係止部材４０は、部材本体４１と、一対の被ガイド部４２、４２と、部材本体４１の二箇所に設けられた回路体係止部４３、４３と、を有する。
【００２５】
各被ガイド部４２は、部材本体４１の長手方向の各端部に設けられ、ガイド面３７ａに弾性力を利用して付勢されることによって、下方に移動する力を受ける部分である。
各被ガイド部４２は、自由端側を係止部材４０の内側に向けて弾性的に撓み変形可能に設けられ、かつガイド面３７ａに付勢される一対の弾性アーム部４２ａ、４２ａを有する。
各弾性アーム部４２ａは、先端部に係止部材４０の外側に向けて突起された付勢突起４２ｂが設けられている。
この付勢突起４２ｂがガイド面３７ａに付勢され、弾性アーム部４２ａの撓み荷重がガイド面３７ａに負荷されることによって、その反力を受けた係止部材４０が自動で下方に移動されるようになっている。
すなわち、係止部材４０は、各回路体係止部４３を上方から各回路体被係止部１３の孔内に嵌め込ませるため、弾性力を利用して自動で下方に移動するようになっている。
【００２６】
回路体係止部４３は、回路体被係止部１３を係止する部分である。この回路体係止部４３は、回路体被係止部１３の孔内に嵌め込まれる凸部である。
【００２７】
また、回路体係止部４３は、回路体端部１０ａが摺接される摺接面４３ａが形成されている。
摺接面４３ａは、下端から上方に向けて上り傾斜状に傾斜されるように回路体係止部４３の前面に形成されている。この摺接面４３ａに回路体端部１０ａが摺接されることによって、係止部材４０が一対の被ガイド部４２をガイド面３７ａにガイドされながら上方に移動される。これにより、回路体端部１０ａが回路体係止部４３に移動を阻止されることなくコネクタ本体３０内に挿入される。
【００２８】
次に、ガイド部材５０について説明する。
ガイド部材５０は、ガイド本体部６０と、ガイド本体部６０とは別部材のカバー部材７０と、を有する。
【００２９】
ガイド本体部６０は、合成樹脂等の絶縁性材からなり、外郭が略直方体形状に形成されている。このガイド本体部６０は、部材係止部３８が係止する部材被係止部６１と、フラット回路体１０が取り付けられる回路体取付部６２と、を有する。
【００３０】
部材被係止部６１は、ガイド本体部６０の表面に突設された支点部からコネクタ本体３０へのフラット回路体１０の挿入方向に延びる一対の係止アーム部６１ａ、６１ａと、一対の係止アーム部６１ａ、６１ａの先端を橋渡すように連結する端部連結部６１ｂと、を有する。
部材被係止部６１は、回路体端部１０ａがコネクタ本体３０内に挿入される際、一対の係止アーム部６１ａ、６１ａが支点部を支点としてシーソー状に可動され、端部連結部６１ｂが部材係止部３８をのり越えるようになっている。このため、部材被係止部６１は、端部連結部６１ｂが部材係止部３８をのり越えた後、一対の係止アーム部６１ａ、６１ａが中立位置に戻されることによって、部材係止部３８に係止される。
【００３１】
回路体取付部６２は、フラット回路体１０が取り付けられる取付面６２ａと、取付面６２ａの二箇所に突設された保持突起６２ｂ、６２ｂと、ガイド本体部６０の両側部に突設された係止突起６２ｃ、６２ｃと、を有する。
【００３２】
取付面６２ａは、ガイド本体部６０の裏面に形成された平面部分であり、フラット回路体１０が面接触されるように取り付けられる。
【００３３】
各保持突起６２ｂ、６２ｂは、フラット回路体１０に形成された各保持孔１４に嵌め込まれることによって、フラット回路体１０を所定位置に位置決めするものである。
なお、二箇所の保持突起６２ｂ、６２ｂは互いの位置を回路体端部１０ａの挿入方向にズラして設けられている。また、二箇所の保持突起６２ｂ、６２ｂに対応してフラット回路体１０の保持孔１４、１４がズラして形成されているため、フラット回路体１０が表裏を間違えてガイド本体部６０に取り付けられることを防止でき、フラット回路体１０の誤組み付けが防止されるようになっている。
【００３４】
各係止突起６２ｃ、６２ｃは、カバー部材７０の係止部７２と係止する部分である。
【００３５】
カバー部材７０は、合成樹脂等の絶縁性材からなり、図１に示すように、外形が長方形形状の板状部材であり、ガイド本体部６０にフラット回路体１０を固定するものである。
このカバー部材７０は、長手方向の両縁が上方に折り曲げられた折り曲げ部７１、７１を有する。各折り曲げ部７１は、ガイド本体部６０の側部に接触され、係止突起６２ｃと係止する係止部７２が設けられている。
このようなカバー部材７０は、係止部７２を係止突起６２ｃに係止することによって、ガイド本体部６０との間にフラット回路体１０を挟み込み保持する。
【００３６】
次に、図７および図８を用いて、ガイド部材５０を取り付けたフラット回路体１０の回路体端部１０ａがコネクタ本体３０内に挿入開始されてから係止されるまでのフラット回路体１０およびコネクタ２０の動作、およびコネクタ本体３０内に係止されたフラット回路体１０をコネクタ２０から外すまでのフラット回路体１０およびコネクタ２０の動作について説明する。
図７は、ガイド部材５０を取り付けたフラット回路体１０の回路体端部１０ａがコネクタ本体３０内に挿入開始されてか係止されるまでのフラット回路体１０およびコネクタ２０の動作を示す図である。図８は、フラット回路体１０をコネクタ２０から外すため、係止部材４０を持ち上げたときのフラット回路体１０およぶコネクタ２０の動作を示す図である。
なお、図７および図８において、左側の図が図２に示すフラット回路体とコネクタとの接続構造１のＡ−Ａ線断面図であり、右側の図が図２に示すフラット回路体とコネクタとの接続構造１のＢ−Ｂ線断面図である。
【００３７】
まず、フラット回路体１０が回路体挿入口３０ａからコネクタ本体３０内に挿入開始される（図７（ａ）参照）。この時点では、係止部材４０が移動範囲の下端に位置しているため、各回路体係止部４３が移動範囲の下端に位置されている。
【００３８】
その後、フラット回路体１０が挿入方向にさらに移動されることによって、部材被係止部６１が部材係止部３８に接触開始される（図７（ｂ））。より具体的には、端部連結部６１ｂと部材係止部３８とが接触されることによって、部材被係止部６１の一対の係止アーム部６１ａ、６１ａがシーソー状に可動開始され、端部連結部６１ｂが部材係止部３８をのり越えるように移動される。
また、各回路体係止部４３の摺接面４３ａが回路体端部１０ａに摺接されることによって、係止部材４０が上方に移動される。これにより、各回路体係止部４３が上方に移動され、フラット回路体１０が各回路体係止部４３に阻止されることなく移動できる。
【００３９】
その後、フラット回路体１０が挿入方向にさらに移動されることによって、部材係止部３８が部材被係止部６１を係止するとともに、回路体係止部４３、４３が回路体被係止部１３、１３を係止して回路体端部１０ａがコネクタ本体３０内に係止される（図７（ｃ））。より具体的には、端部連結部６１ｂが部材係止部３８をのり越えて一対の係止アーム部６１ａ、６１ａが中立位置に戻されることによって、部材係止部３８が部材被係止部６１を係止する。一方、各被ガイド部４２が係止部材４０を下方に移動する力を受けることによって、係止部材４０が自動で下方に移動し、各回路体係止部４３、４３が各回路体被係止部１３、１３を係止する。
【００４０】
なお、フラット回路体１０をコネクタ２０から外す場合、図８に示すように、係止部材４０を持ち上げることによって、回路体係止部４３、４３と回路体被係止部１３、１３との係止が解除される。この係止解除状態で、フラット回路体１０を挿入方向とは逆方向に引っ張ることによって、上述した動作の逆の動作でフラット回路体１０がコネクタ２０から外される。
【００４１】
次に、図９および図１０を用いて、ガイド部材５０を取り付けないフラット回路体１０の回路体端部１０ａがコネクタ本体３０内に挿入開始されてから係止されるまでのフラット回路体１０およびコネクタ２０の動作、およびコネクタ本体３０内に係止されたフラット回路体１０をコネクタ２０から外すまでのフラット回路体１０およびコネクタ２０の動作について説明する。
図９は、ガイド部材５０を取り付けないフラット回路体１０の回路体端部１０ａがコネクタ本体３０内に挿入開始されてから係止されるまでのフラット回路体１０およびコネクタ２０の動作を示す図である。図１０は、フラット回路体１０をコネクタ２０から外すため、係止部材４０を持ち上げたときのフラット回路体１０およびコネクタ２０の動作を示す図である。
なお、図９および図１０において、左側の図が図３に示すフラット回路体とコネクタとの接続構造１のＣ−Ｃ線断面図であり、右側の図が図２に示すフラット回路体とコネクタとの接続構造１のＤ−Ｄ線断面図である。
【００４２】
まず、フラット回路体１０が回路体挿入口３０ａからコネクタ本体３０内に挿入開始される（図９（ａ）参照）。この時点では、係止部材４０が移動範囲の下端に位置しているため、各回路体係止部４３が移動範囲の下端に位置されている。
【００４３】
その後、フラット回路体１０が挿入方向奥側にさらに移動されることによって、回路体端部１０ａが回路体係止部４３に接触開始される（図９（ｂ））。より具体的には、回路体端部１０ａが各回路体係止部４３の摺接面４３ａに摺接されることによって、係止部材４０が上方に移動される。これにより、各回路体係止部４３が上方に移動され、フラット回路体１０が各回路体係止部４３に阻止されることなく移動できる。
【００４４】
その後、フラット回路体１０が挿入方向奥側にさらに移動されることによって、回路体係止部４３、４３が回路体被係止部１３、１３を係止して回路体端部１０ａがコネクタ本体３０内に係止される（図９（ｃ））。より具体的には、各被ガイド部４２が係止部材４０を下方に移動する力を受けることによって、係止部材４０が自動で下方に移動し、各回路体係止部４３、４３が各回路体被係止部１３、１３を係止する。
【００４５】
なお、フラット回路体１０をコネクタ２０から外す場合、図１０に示すように、係止部材４０を持ち上げることによって、回路体係止部４３、４３と回路体被係止部１３、１３との係止が解除される。この係止解除状態で、フラット回路体１０を挿入方向とは逆方向に引っ張ることによって、上述した動作の逆の動作でフラット回路体１０がコネクタ２０から外される。
【００４６】
本発明の実施例に係るフラット回路体とコネクタとの接続構造１は、フラット回路体１０にガイド部材５０が取り付けられる場合、部材係止部３８が部材被係止部６１を係止し、フラット回路体１０にガイド部材５０が取り付けられない場合、回路体係止部４３が回路体被係止部１３を係止することによって、回路体端部１０ａをコネクタ本体３０内に係止するので、コネクタ本体３０への挿入をガイドするガイド部材５０を取り付けたフラット回路体１０と、ガイド部材５０を取り付けないフラット回路体１０との両方を同一のコネクタ２０に接続することができる。
【００４７】
また、本発明の実施例に係るフラット回路体とコネクタとの接続構造１は、コネクタ本体３０に組み付けられる係止部材４０に設けられた凸部である回路体係止部４３によってフラット回路体１０に形成された孔部である回路体被係止部１３を係止するようにしているので、簡易な構成で、回路体端部１０ａをコネクタ本体３０内に係止することができる。
【００４８】
また、本発明の実施例に係るフラット回路体とコネクタとの接続構造１は、係止部材４０は、回路体係止部４３によって回路体被係止部１３を係止するため、弾性力を利用して自動で下方に移動することができるので、回路体係止部４３によって回路体被係止部１３を係止する作業が容易になる。
【００４９】
また、本発明の実施例に係るフラット回路体とコネクタとの接続構造１は、フラット回路体１０にガイド部材５０が取り付けられる場合、部材係止部３８が部材被係止部６１を係止するとともに、回路体係止部４３が回路体被係止部１３を係止することによって、二箇所で係止するので、回路体端部１０ａをコネクタ本体３０内により確実に係止することができる。
【００５０】
なお、本発明の実施例に係るフラット回路体とコネクタとの接続構造１は、係止部材４０が自動で下降するものを例示したが、これに限らず、手動で下降するようにしても構わない。
【００５１】
また、本発明の実施例に係るフラット回路体とコネクタとの接続構造１は、フラット回路体１０にガイド部材５０が取り付けられる場合、部材係止部が部材被係止部を係止するとともに、回路体係止部が回路体被係止部を係止することによって、二箇所で係止するものを例示したが、これに限らず、回路体係止部が回路体被係止部を係止することなく、部材係止部が部材被係止部を係止するだけであっても構わない。
【００５２】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００５３】
１      フラット回路体とコネクタとの接続構造
１０    フラット回路体
１０ａ  回路体端部
１１    絶縁性薄膜フィルム
１２    補強板
１３    回路体被係止部
１４    保持孔
２０    コネクタ
２１    端子
３０    コネクタ本体
３０ａ  回路体挿入口
３１    底壁
３２    側壁
３３    後壁
３４    天井壁
３５    回路体端部収容空間
３６    係止部材組付部
３７    ガイド部
３７ａ  ガイド面
３８    部材係止部
４０    係止部材
４１    部材本体
４２    被ガイド部
４２ａ  弾性アーム部
４２ｂ  付勢突起
４３    回路体係止部
４３ａ  摺接面
５０    ガイド部材
６０    ガイド本体部
６１    部材被係止部
６１ａ  係止アーム部
６１ｂ  端部連結部
６２    回路体取付部
６２ａ  取付面
６２ｂ  保持突起
６２ｃ  係止突起
７０    カバー部材
７１    折り曲げ部
７２    係止部
８０    固定金具
【図１】
0006020925.tif 000002
【図２】
0006020925.tif 000003
【図３】
0006020925.tif 000004
【図４】
0006020925.tif 000005
【図５】
0006020925.tif 000006
【図６】
0006020925.tif 000007
【図７】
0006020925.tif 000008
【図８】
0006020925.tif 000009
【図９】
0006020925.tif 000010
【図１０】
0006020925.tif 000011